(57)【要約】  本発明は、好ましくは中口径の範囲における、発射体（２、７、１０）の内部に、少なくとも１つのアクティブマス（５）又は装薬を有する発射物（１、８、９）に関するものであり、アクティブマス（５）は、火工品装填の形式で、発射体（２、７、１０）の内部に、一体化されている。アクティブマス（５）は、好ましくは、金属又はプラスチックからなるコア（６、１４）によって、封入されると共に、密封され得る。別の実施形態では、火工品アクティブマス（５）は、発射体（１０）のペネトレータ（１１）の後方側に配置され、従って、アクティブマス（５）は、ペネトレータ（１１）と発射体（１０）との間に配置される。
2021515174.tif 000002
【特許請求の範囲】
【請求項１】
少なくとも１つの発射体（２、７、１０）と、アクティブマス（１）と、を備えた発射物（１、８、９）において、
前記アクティブマス（５）は、少なくとも１つの火工品であることを特徴とする、発射物（１、８、９）。
【請求項２】
前記火工品アクティブマス（５）は、爆発性がないことを特徴とする、請求項１に記載の発射物（１、８、９）。
【請求項３】
前記火工品アクティブマス（１）を閉じ込めると共に、密封する、コア（６、１４）が設けられていることを特徴とする、請求項１又は請求項２に記載の発射物（８、９）。
【請求項４】
前記コア（６、１３）は、前記発射体（２、７、１０）よりも密度の低い材料から構成されていることを特徴とする、請求項３に記載の発射物（８、９）。
【請求項５】
前記材料は、金属又はプラスチックであることを特徴とする、請求項４に記載の発射物（８、９）。
【請求項６】
前記火工品アクティブマス（５）は、前記発射体（１０）とペネトレータ（１１）との間に収容されていることを特徴とする、請求項１から請求項５までの何れか１項に記載の発射物（９）。
【請求項７】
前記火工品アクティブマス（５）は、前記ペネトレータ（１１）の周りに、部分的又は完全に、配置されていることを特徴とする、請求項６に記載の発射物（９）。
【請求項８】
前記火工品アクティブマス（５）は、前記ペネトレータ（１１）の周りに、環状に配置されていることを特徴とする、請求項７に記載の発射物（９）。
【請求項９】
前記火工品アクティブマス（５）は、火炎、煙霧、閃光、及び／又は、爆音効果を発生させるための材料であることを特徴とする、請求項１から請求項８までの何れか１項に記載の発射物（１、８、９）。
【請求項１０】
前記発射体（２、７、１０）は、外周上に、所定の破断個所を有することを特徴とする、請求項１から請求項９までの何れか１項に記載の発射物（１、８、９）。
【請求項１１】
請求項１から請求項１０までの何れか１項に記載の発射物（１、８、９）によって、標的と交戦するための方法であって、以下のステップとして、
・  少なくとも前記発射体（２、７、１０）の破片又は断片を形成するために、前記発射物（１、８、９）の衝突時に、衝撃波を生成するステップと、
・  前記火工品アクティブマス（５）が、反応するように、発生させた前記衝撃波によって、前記火工品アクティブマス（５）を起動するステップと、そして、
・  前記火工品アクティブマス（５）の膨張するガスは、前記火工品アクティブマス（５）を取り囲む、前記発射体（２、７、１０）のシェルの破砕を、さらに加速するステップと、
を特徴とする、標的と交戦するための方法。
【発明の詳細な説明】
【技術分野】
【０００１】
本発明は、特に、中口径範囲の発射物内の火工品装薬（pyrotechnische Wirkladung）又はアクティブマス（Wirkmasse、ペイロード）に関する。
【背景技術】
【０００２】
周知の武器弾薬は、現代の装甲システムに対して、貫通作用を、もはや有していないことがしばしばある。より新しい武器弾薬、例えば、ＰＥＬＥ（登録商標）武器弾薬は、このために、目標物体を貫通した後に、大きな破砕作用を達成する。
【０００３】
特許文献１及び特許文献２には、いわゆる、ＰＥＬＥ−Ｔ又はＰＥＬＥ−Ｔ  Ｐｅｎ発射物において適用される、いわゆる、ＰＥＬＥ効果が記載されている。さらに、二次爆薬の爆発性反応を介して破砕加速を達成するＨＥ武器弾薬が知られている。
【０００４】
ＰＥＬＥ効果による横加速度は、主として目標速度によって規定される。発射距離が、長ければ長いほど、効果は弱くなる。結果として、破砕円錐（Splitterkegel）は小さくなる。このことは、実際には、発射物の有効性を弱めることを意味する。
【０００５】
ＨＥ（High Explosive：榴弾）発射物又は武器弾薬、例えば、グレネードを使用したときの破砕加速度は、周知のように極めて良好である。しかしながら、このような発射物の安全性リスクを、全ライフサイクルにおいて高くする爆薬が使用される。加えて、別個の添加構成部分が、必要となる。
【０００６】
多目的（Muti-Purpose）（ＭＰ）武器弾薬は、ここで、古典的点火チェーン（Zuendketten)が、使用されていなくても、ＨＥ武器弾薬と同じ問題を有している。古典的点火チェーンが使用されないとはいえ、不発弾又は搬送トラブル時の武器内の反応のような、定義されない事態が問題となる。
【０００７】
ＨＥ発射物もＭＰ発射物も概ね二次爆薬を含有している。二次爆薬は、火工品（pyrotechnischer Satz）（ＭＰ）又は別個の起爆剤（Zuender）（ＨＥ）によって起爆される。
【０００８】
特許文献３に開示された多目的発射物は、ジャケットと、ペネトレータと、少なくとも１つの発火装填物とを有している。発火装填物はここではその断面全体にわたって押し込まれている。
【０００９】
特許文献４に基づき、外部ペネトレータ及び／又は中央ペネトレータを備えた発射物が公知である。外部ペネトレータは、中央ペネトレータと同様にサブ発射物によって形成することができる。このようなタイプの発射物が、実用的であるとしても、この場合においても、目標における有効性又は出力は、衝撃速度に依存する。
【先行技術文献】
【特許文献】
【００１０】
【特許文献１】欧州特許第１３１６７７４号明細書
【特許文献２】欧州特許第１０００３１１号明細書
【特許文献３】欧州特許第０５３１６９７号明細書
【特許文献４】独国特許発明第１０２００５０３９９０１号明細書
【発明の概要】
【発明が解決しようとする課題】
【００１１】
ここで本発明の課題は、前述の欠点を克服する発射物を示すことである。
【課題を解決するための手段】
【００１２】
この課題は、請求項１の特徴によって解決される。有利な構成は、従属請求項に含まれている。
【発明の効果】
【００１３】
本発明の根底を成す考えは、爆薬及び起爆剤なしで、ＰＥＬＥ発射物に比べて横破砕作用を著しく高める発射物を示すことである。特定の中口径発射物における火工品装薬と信頼性の高いＰＥＬＥ効果との組み合わせが追求される。
【００１４】
爆薬なしの発射物が独国特許出願公開１０２０１２０２３７００号明細書並びに独国特許出願公開１０２０１３００２１１９号明細書から公知である。独国特許出願公開１０２０１２０２３７００号明細書に記載された爆薬なしの発射物は、目標における分解時に、燃料又は燃料混合物を発火性の空気・燃料混合物として解放する。このような混合物は、衝撃分解時に発動される、爆薬なしの、少なくとも１つの火花形成点火メカニズムによって自発的に反応させられる。このような爆薬なしの発射物は、光学的及び熱的な目標シグネチャ（Zielsignatur，Signature）を提供するのに役立つ。
【００１５】
このような考えを言い換えると、アクティブマスとして、爆発不能な火工品が組み込まれる。火工品としては、好ましくは、金属粉末／酸化剤が存在する。目標における衝撃時に、衝撃波は、断片形成し、同時に、アクティブマスを起動させるため、火工品の膨張するガスは、アクティブマスを取り囲む発射体のシェルフラグメントを、付加的に横方向に、発射距離、ひいては、衝突速度とは、無関係に加速する。この場合、酸化還元反応が活用される。この酸化還元反応では、火工品の化学反応によって、衝撃状発熱酸化還元反応が生じる。この酸化還元反応時に、ガスは放出され、温度に起因して強く膨張し、ひいては、爆発力を生じさせる。
【００１６】
酸化還元システムを使用することによって、ある程度の二次爆破効果を達成することができる。火工品のアクティブマスは、さらに、閃光効果及び／又は爆音効果を目標においてもたらし、又は、感知を音響的に改善する。衝突点のマーキングの他に、敵をこれによって制圧することもできる。
【００１７】
こうして提供された多目的発射物は、装甲性能の課題を満たし、すなわち、発射物は、装甲を貫通し、破片を形成し、そして、火工作用、例えば、火炎、爆破、閃光及び／又は爆音効果を目標内に生成する。
【００１８】
このような解決手段の利点は、二次爆薬、及び、起爆剤、又は、点火チェーンを省き得ることにある。火工品のアクティブマスは、衝突速度が低くても起動されるため、不発弾の問題は、僅かである。そればかりか、火工品のアクティブマスを使用することによって、古典的な不発弾は、いずれにしても発生しない。
【００１９】
第１実施形態において、火工品のアクティブマスは、発射物の発射体内に収容されている。火工品のアクティブマスは、ディスク（Scheibe，plate）、エポキシ樹脂又はこれと同様のものによって、位置固定することができる。あるいは、火工品のアクティブマスは、発射物の発射物先端内にまで収容することができる。
【００２０】
コアが発射物内に収容されている場合に、第２実施形態がもたらされる。この場合に、コアは、火工品のアクティブマスを位置固定することができる。コアの材料の密度は、発射体の密度よりも小さくてよい。しかしながら、このことは、前提条件ではない。好ましくは、金属又はプラスチックを使用することができる。
【００２１】
第３の好ましい実施形態の場合、火工品のアクティブマスは、発射体とペネトレータ（penetrator）との間に位置している。アクティブマスは、好ましくは金属又はプラスチックから成るコアによって閉じ込め、シールすることができる。
【００２２】
このような考えの更なる構成では、火工品のアクティブマスは、ペネトレータの周りに環状に取り付けられている。火工品のアクティブマスを取り囲む発射体は、アクティブマスの起動後に、所望の破片を形成する。
【００２３】
このように、新規のアクティブマス又は作用装填物を、好ましくは、中口径範囲の発射体内に有する発射物が提案される。発射物の衝撃時には、衝撃波が発生する。衝撃波は、少なくとも発射体の破片形成又は断片形成をもたらす。同時に、火工品のアクティブマスは、発生させた衝撃波によって起動されるため、火工品のアクティブマスは、反応し、火工品のアクティブマスの膨張するガスは、アクティブマスを取り囲む、発射体のシェルの破砕を付加的に加速する。アクティブマスには、爆発性の反応はないため、従来型の爆薬とは異なるクラスの物質に属する。武器弾薬の廃棄は、これによって、かかる手間が少なくなる。さらに、このような武器弾薬の取り扱い安全性が、高められる。横効果は、純然たるＰＥＬＥ発射物に対して高められる。さらに、二次組成物が省かれる。ＰＥＬＥ武器弾薬の横効果は高められ、発射距離が長い場合の著しい減退を僅かにする。
【００２４】
図面を有する実施例に基づき、本発明を詳述する。
【図面の簡単な説明】
【００２５】
【図１】図１は、本発明による発射物の第１変更形である。
【図２】図２は、発射物の更なる変更形である。
【図３】図３は、発射物の第３変更形である。
【発明を実施するための形態】
【００２６】
図１に示された実施態様では、発射物１は、発射体２を有している。発射体は、前方側に、オジーブ（Ogive）又はフード（Haube）と称する発射物先端３を有し、そして、後方側に、発射物尾部４を有している。発射体２内には、火工品のアクティブマス５が、収容されている。火工品のアクティブマス５は、ディスク、エポキシ樹脂１６又はこれと同様のものによって、位置固定されてもよい。代わりに、火工品のアクティブマス５は、発射物先端３内にまで組み込まれてもよい。
【００２７】
別の実施態様が、図２に示されている。火工品のアクティブマス５は、コア６と発射物８の発射体７との間に組み込まれている。コア６は、好ましくは金属又はプラスチックから構成されている。
【００２８】
図３は、発射体１０と、ペネトレータ１１と、を備えた発射物９を示している。発射体１０は、ここでも前方側に発射物先端３を有し、そして、後方側に発射物尾部４を有している。ペネトレータ１１は、壊れやすくてよい。火工品のアクティブマス５は、発射体１０とペネトレータ１１との間に組み込まれていてよい。好ましい実施態様では、火工品のアクティブマス５は、ペネトレータ１１の周りに、好ましくは、環状に取り付けられている。この場合、アクティブマス５は、完全にペネトレータ１１を覆ってもよいが、少なくとも部分的にペネトレータ１１を覆ってもよい。アクティブマス５は、コア１４によって閉じ込められ、これによって、シールされる。コア１４は、ペネトレータ１１上に少なくとも部分的に載置されている。好ましくは、コア１４は、孔１５を有している。孔１５内には、ペネトレータ１１が、突入することができる。このような孔１５は、好ましくは、ペネトレータ１１の外側形状に適合している。コア１４は、それ自体、好ましくは、金属又はプラスチックから構成されている。コア１４によって、ペネトレータ１１は、発射物９又は発射体１０内に位置固定をすることができる。ペネトレータ１１を固定するための別の支持体も可能である。
【００２９】
発射体２，７，１０と発射物先端４とは、螺合を介して互いに結合することができる。別の結合、例えば、スナップ結合も可能である。
【００３０】
作動方法は、次の通りである。発射物１，８，９の目標、例えば、金属板への衝撃によって、周知のＰＥＬＥ効果が引き起こされる。同時に、発射物２，７，１０内へ、そして、もし存在するならばコア６（図２）内へ又はコア１４及びペネトレータ１４（図３）内へも衝撃波が、発生する。
【００３１】
衝撃波は、一方では、発射体２，７，１０のジャケットに破片を形成するように作用する（詳細には図示していない）。さらに、このような衝撃波によって、同時に、火工品５又は火工品のアクティブマス５も、断熱圧縮によって起動される。これによって、酸化還元システム、すなわち、アクティブマス５（火工品）の反応温度又は反応閾値を上回る。アクティブマス５は、直ちに反応する。火工品のアクティブマス５の、今や膨張しつつあるガスは、アクティブマス５を取り囲むと共に、衝撃時に衝撃波によって形成された、発射体２，７，１０のシェルの破砕を、付加的に横方向に加速する。
【００３２】
アクティブマス５は、また、複数の火工品であってもよく、これらの火工品は、目標において、火炎効果、閃光効果、及び／又は爆音効果をもたらす。
【００３３】
有利な点は、発射体２，７，１０のシェルの破砕によって、形成された破砕円錐（円錐の開放角）が一定であることである。それというのも、この破砕円錐は、（衝突速度）発射距離とは無関係であるからである。
【００３４】
発射体２，７，１０は、外周上に、付加的に目標破断箇所（詳細には図示せず）を備えていてよい。これらの目標破断箇所は、発射物１，８，９の破片形成を支援してもよい。目標破断箇所によって、発射体２，７，１０のシェルの破砕の大きさを、より良好に画定することもできる。
【図１】
2021515174.tif 000003
【図２】
2021515174.tif 000004
【図３】
2021515174.tif 000005
【国際調査報告】
2021515174.tif 000006
2021515174.tif 000007
2021515174.tif 000008
2021515174.tif 000009